(57)【要約】  電子血圧計は、ユーザからの指示信号に基づいて、電子血圧計が有する第１の機能群および第２の機能群に含まれる複数の機能（２０３〜２０６）のうちいずれかを作動させる制御を行なう作動制御部（２０１）を備える。第１の機能群は、血圧測定部による測定機能（２０３，２０４）を含み、第２の機能群は、測定値の消去あるいは設定値の変更に関する情報変更機能（２０５，２０６）を含む。作動制御部は、特定の操作で起動されたか否かを判断するための判断部（２０１１）と、判断部による判断結果に基づいて、第２の機能群の作動の可否を設定するための設定部（２０１２）とを含む。
2007114050.tif 000002
【特許請求の範囲】
【請求項１】
血圧を測定するための血圧測定部（３０）と、
前記血圧測定部により測定された前記血圧のデータを含む測定結果情報を記憶するための第１の記憶部（１２１）と、
ユーザが、前記電子血圧計が有する第１の機能群および第２の機能群に含まれる複数の機能のうちのいずれかを作動させるための指示を入力可能な第１の入力部（２１）とを備え、
前記第１の機能群は、前記血圧測定部による測定機能を含み、
前記第２の機能群は、測定値の消去あるいは設定値の変更に関する情報変更機能を含み、
前記第１の入力部からの指示信号に基づいて、前記複数の機能のうちいずれかを作動させる制御を行なうための作動制御部（２０１）をさらに備え、
前記作動制御部は、
特定の操作で起動されたか否かを判断するための判断部（２０１１）と、
前記判断部による判断結果に基づいて、前記第２の機能群に含まれる機能の作動の可否を設定するための設定部（２０１２）とを含み、
前記作動制御部は、前記指示信号に対応する機能が前記第１の機能群に含まれる機能である場合、または、前記指示信号に対応する機能が前記第２の機能群に含まれる機能であり、かつ、前記設定部により作動可能に設定された場合に、前記対応する機能を作動させる、電子血圧計。
【請求項２】
表示部（４）をさらに備え、
前記第１の機能群は、前記第１の記憶部に記憶された前記測定結果情報を前記表示部に表示する第１の表示機能をさらに含む、請求の範囲第１項に記載の電子血圧計。
【請求項３】
各前記測定結果情報は、各前記血圧のデータと関連付けて、血圧測定の際の測定条件を特定するための条件特定データをさらに含み、
前記情報変更機能は、前記第１の記憶部に記憶された前記測定結果情報を消去する消去機能、および、前記測定条件の基準となる値を変更する変更機能のうち少なくとも１つを含む、請求の範囲第２項に記載の電子血圧計。
【請求項４】
前記設定部は、前記判断部により前記特定の操作で起動されたと判断された場合に、前記第２の機能群の作動を可能に設定し、前記判断部により前記特定の操作とは異なる操作で起動されたと判断された場合には、前記第２の機能群の作動を不可に設定する、請求の範囲第３項に記載の電子血圧計。
【請求項５】
時刻を計測するためのタイマ（１３）をさらに備え、
前記条件特定データは、前記血圧測定の際における前記タイマからの計時データを含む、請求の範囲第３項に記載の電子血圧計。
【請求項６】
前記特定の操作での起動の履歴情報を記憶するための第２の記憶部（１２２）をさらに備え、
前記第２の機能群は、前記第２の記憶部に記憶された前記履歴情報を前記表示部に表示する第２の表示機能をさらに含む、請求の範囲第３項に記載の電子血圧計。
【請求項７】
日時を計測するためのタイマ（１３）をさらに備え、
前記作動制御部は、前記判断部により前記特定の操作で起動されたと判断された場合に、前記タイマからの出力に基づいて、起動日時データを前記履歴情報として前記第２の記憶部に格納するためのデータ格納部（２０１３）をさらに含む、請求の範囲第６項に記載の電子血圧計。
【請求項８】
前記作動制御部は、
前記判断部により前記特定の操作で起動されたと判断された場合に、前記特定の操作での起動回数をカウントするためのカウント部（２０１３）と、
カウントされた前記起動回数のデータを、前記履歴情報として前記第２の記憶部に格納するためのデータ格納部（２０１３）とをさらに含む、請求の範囲第６項に記載の電子血圧計。
【請求項９】
前記特定の操作とは、明示的な通常の起動操作とは異なる操作である、請求の範囲第１項に記載の電子血圧計。
【請求項１０】
前記第１の入力部は、ユーザが押下可能な複数のスイッチ（２１．０〜２１．６）を含み、
前記判断部は、ユーザにより前記複数のスイッチのうち２個以上の所定のスイッチが同時に押下された場合に、前記特定の操作で起動されたと判断する、請求の範囲第９項に記載の電子血圧計。
【請求項１１】
外部から隠されて設けられた第２の入力部をさらに備え、
前記判断部は、前記第２の入力部が操作された場合に、前記特定の操作で起動されたと判断する、請求の範囲第９項に記載の電子血圧計。
【発明の詳細な説明】
【技術分野】
【０００１】
電子血圧計であって、特に、血圧の測定機能以外にも、測定値の消去および／または設定値の変更に関する機能を有する電子血圧計に関する。
【背景技術】
【０００２】
家庭用の電子血圧計は、一般的に、血圧の測定データを記憶しておき、過去に測定された血圧値を表示する機能を有している。このような血圧計においては、他人から譲り受けた場合など、過去の測定データを消去したい場合がある。このため、従来より、過去の測定データを消去する機能を有する電子血圧計が存在する。【０００３】
たとえば、特開２００５−２２４４４０号公報（以下、特許文献１）には、メモリに記憶された、使用者が測定した複数の測定結果のうち消去したい測定結果のみを消去することができる血圧計が開示されている。これにより、ユーザは、他人の測定データのみを消去することが可能となる。【０００４】
また、血圧データを、日時などの測定条件と対応付けて記憶しておき、過去の血圧値を測定の際の条件と関連付けて表示する機能を有する血圧計がある。このような血圧計は、さらに、血圧測定前に、測定条件の基準となる値の設定や変更をする機能を有している。【０００５】
たとえば、特開２００２−２７２６８６号公報（以下、特許文献２）および特開２００２−２７２６８７号公報（以下、特許文献３）には、血圧計に、時刻を設定・修正するための時計設定スイッチ、時刻を設定・修正するときに早送りまたは早戻しする時刻送りスイッチが含まれることが記載されている。そして、これらのスイッチが操作されることで、日付・時刻が変更されることが開示されている。これにより、血圧計における日付・時刻が間違っている場合には、使用者は、日付・時刻を修正することができる。したがって、血圧値が、間違った日時（測定条件）とともに記憶されてしまうことを防止することができる。
【特許文献１】特開２００５−２２４４４０号公報
【特許文献２】特開２００２−２７２６８６号公報
【特許文献３】特開２００２−２７２６８７号公報
【発明の開示】
【発明が解決しようとする課題】
【０００６】
しかしながら、上述のように、ユーザが自由に測定データの消去や設定値の変更をすることができると、被験者の管理者（医師など）にとって、不都合が生じる場合がある。たとえば、管理者が、被験者に対し、毎日血圧を測定するよう指示していたと仮定する。通常であれば、管理者は、測定結果を後日閲覧することで、被験者の血圧の変化などを把握することができる。しかし、測定データを自由に消去できるとすると、被験者は、測定結果が気に入らなければデータを消去する可能性があり、測定データの改ざんにつながる。【０００７】
また、管理者が、被験者に対し、血圧測定の時間帯を指定していたとしても、被験者は、時刻設定を変更することで、測定時刻を改ざんすることができる。【０００８】
本発明は、上記のような問題を解決するためになされたものであって、その目的は、被験者による、測定値の消去および／または設定値の変更を不可とすることのできる電子血圧計を提供することである。
【課題を解決するための手段】
【０００９】
この発明のある局面に従う電子血圧計は、血圧測定部と、第１の記憶部と、第１の入力部と、作動制御部とを備える。血圧測定部は、血圧を測定する。第１の記憶部は、血圧測定部により測定された血圧のデータを含む測定結果情報を記憶する。第１の入力部は、ユーザが、電子血圧計が有する第１の機能群および第２の機能群に含まれる複数の機能のうちのいずれかを作動させるための指示を入力可能である。第１の機能群は、血圧測定部による測定機能を含み、第２の機能群は、測定値の消去あるいは設定値の変更に関する情報変更機能を含む。作動制御部は、第１の入力部からの指示信号に基づいて、複数の機能のうちいずれかを作動させる制御を行なう。作動制御部は、特定の操作で起動されたか否かを判断するための判断部と、判断部による判断結果に基づいて、第２の機能群の作動の可否を設定するための設定部とを含む。そして、作動制御部は、指示信号に対応する機能が第１の機能群に含まれる機能である場合、または、指示信号に対応する機能が第２の機能群に含まれる機能であり、かつ、設定部により作動可能に設定された場合に、対応する機能を作動させる。【００１０】
好ましくは、電子血圧計は、表示部をさらに備え、第１の機能群は、第１の記憶部に記憶された測定結果情報を表示部に表示する第１の表示機能をさらに含む。【００１１】
好ましくは、各測定結果情報は、各血圧のデータと関連付けて、血圧測定の際の測定条件を特定するための条件特定データをさらに含み、情報変更機能は、第１の記憶部に記憶された測定結果情報を消去する消去機能、および、測定条件の基準となる値を変更する変更機能のうち少なくとも１つを含む。【００１２】
好ましくは、設定部は、判断部により特定の操作で起動されたと判断された場合に、第２の機能群の作動を可能に設定し、判断部により特定の操作とは異なる操作で起動されたと判断された場合には、第２の機能群の作動を不可に設定する。【００１３】
好ましくは、電子血圧計は、時刻を計測するためのタイマをさらに備え、条件特定データは、血圧測定の際におけるタイマからの計時データを含む。【００１４】
好ましくは、特定の操作での起動の履歴情報を記憶するための第２の記憶部をさらに備え、第２の機能群は、第２の記憶部に記憶された履歴情報を表示部に表示する第２の表示機能をさらに含む。【００１５】
好ましくは、電子血圧計は、日時を計測するためのタイマをさらに備え、作動制御部は、判断部により特定の操作で起動されたと判断された場合に、タイマからの出力に基づいて、起動日時データを履歴情報として第２の記憶部に格納するためのデータ格納部をさらに含む。【００１６】
あるいは、作動制御部は、判断部により特定の操作で起動されたと判断された場合に、特定の操作での起動回数をカウントするためのカウント部と、カウントされた起動回数のデータを、履歴情報として第２の記憶部に格納するためのデータ格納部とをさらに含むことが好ましい。【００１７】
好ましくは、特定の操作とは、明示的な通常の起動操作とは異なる操作である。
好ましくは、第１の入力部は、ユーザが押下可能な複数のスイッチを含み、判断部は、ユーザにより複数のスイッチのうち２個以上の所定のスイッチが同時に押下された場合に、特定の操作で起動されたと判断する。【００１８】
あるいは、電子血圧計は、外部より隠されて設けられた第２の入力部をさらに備え、判断部は、第２の入力部が操作された場合に、特定の操作で起動されたと判断してもよい。【００１９】
この発明の上記および他の目的、特徴、局面および利点は、添付の図面と関連して理解されるこの発明に関する次の詳細な説明から明らかとなるであろう。
【図面の簡単な説明】
【００２０】
【図１】本発明の実施の形態およびその変形例における電子血圧計の概観を示す図である。
【図２】本発明の実施の形態およびその変形例における電子血圧計のハードウェア構成を示すブロック図である。
【図３Ａ】本発明の実施の形態におけるメモリの構造例を示す図である。
【図３Ｂ】本発明の実施の形態の電子血圧計におけるＣＰＵ（Central  Processing  Unit）の機能を示す機能ブロック図である。
【図４】本発明の実施の形態における測定関連処理を示すフローチャートである。
【図５】本発明の実施の形態において、メニュースイッチが押下された場合に表示される画面の一例を示す図である。
【図６Ａ】本発明の実施の形態の変形例におけるメモリの構造例を示す図である。
【図６Ｂ】本発明の実施の形態の変形例の電子血圧計におけるＣＰＵの機能ブロック図である。
【図７】本発明の実施の形態の変形例における測定関連処理を示すフローチャートである。
【図８】本発明の実施の形態の変形例において、メニュースイッチが押下された場合に表示される画面の一例を示す図である。
【符号の説明】
【００２１】
１  血圧計本体、２  カフ、３  エア管、４  表示部、１２，１２Ａ  メモリ、１３  タイマ、１４  圧力センサ、１５  発振回路、１６  ポンプ、１７  ポンプ駆動回路、１８  弁、１９  弁駆動回路、２０，２０Ａ  ＣＰＵ、２１  操作部、２１．０  電源スイッチ、２１．１  メニュースイッチ、２１．２  設定スイッチ、２１．３  測定スイッチ、２１．４  左スイッチ、２１．５  右スイッチ、２１．６  メモリスイッチ、２４  電源部、２５  空気袋、３０  血圧測定部、１００  電子血圧計、１２１  測定結果記憶領域、１２２  履歴記憶領域、２０１，２０１Ａ  作動制御部２０３  測定処理部、２０４  測定データ表示部、２０５  測定データ消去部、２０６  時計変更部、２０７  履歴表示部、２０１１  判断部、２０１２  設定部、２０１３  履歴格納部。
【発明を実施するための最良の形態】
【００２２】
（構成について）
図１は、本発明の実施の形態における電子血圧計１００の概観を示す図である。【００２３】
図１を参照して、本実施の形態に係る電子血圧計１００は、血圧計本体１と、ユーザの所定の身体部位に装着されて空気圧により加圧するためのカフ２と、血圧計本体１とカフ２とを接続するエア管３とを備える。【００２４】
血圧計本体１は、ユーザが表示内容を確認可能なように設けられた表示部４および、ユーザからの指示の入力を受け付けるための操作部２１を備える。表示部４は、たとえば、ＬＣＤ（Liquid  Crystal  Display）により構成される。操作部２１は、複数のスイッチ、たとえば、電源スイッチ２１．０，メニュースイッチ２１．１，設定スイッチ２１．２，測定スイッチ２１．３，左スイッチ２１．４，右スイッチ２１．５，メモリスイッチ２１．６を含む。電源スイッチ２１．０は、電源のＯＮ／ＯＦＦの指示を入力するためのスイッチである。メニュースイッチ２１．１は、電子血圧計１００が有する機能の情報をメニュー表示する指示を入力するためのスイッチである。設定スイッチ２１．２は、表示部４に表示された情報に関する設定動作を実行させるためのスイッチである。測定スイッチ２１．３は、血圧の測定動作を開始させるためのスイッチである。左スイッチ２１．４および右スイッチ２１．５は、それぞれ、たとえば、表示部４に表示されているカーソル（図示せず）を左方向（または上方向）および右方向（または下方向）に移動させるためのスイッチである。メモリスイッチ２１．６は、過去の測定結果情報（後述）の表示指示を入力するためのスイッチである。操作部２１は、ユーザによって、電子血圧計１００が有する第１の機能群および第２の機能群に含まれる複数の機能のうちのいずれかを作動させるための指示の入力を受付けることができる。第１の機能群および第２の機能群については後述する。【００２５】
図２は、本発明の実施の形態における電子血圧計１００のハードウェア構成を示すブロック図である。図２を参照して、電子血圧計１００は、血圧を測定するための血圧測定部３０、各部を集中的に制御および監視するためのＣＰＵ（Central  Processing  Unit）２０、表示部４、各種データおよびプログラムが格納されるメモリ１２、操作部２１、計時動作して計時データを出力するタイマ１３、および、電力を供給するための電源部２４を備える。本実施の形態において、血圧測定部３０は、上述のカフ２、カフ２に内蔵されている空気袋２５、空気袋２５内の圧力（以下「カフ圧」という）により容量が変化する圧力センサ１４、圧力センサ１４の容量値に応じた発振周波数の信号をＣＰＵ２０に出力する発振回路１５、カフ圧の圧力レベルを調整するためのポンプ１６および弁１８、ポンプ１６を駆動するポンプ駆動回路１７、および、弁１８の開閉度合を調整するための弁駆動回路１９を含む。空気袋２５と圧力センサ１４、ポンプ１６および弁１８とはエア管３を介して接続される。なお、血圧測定部３０は、このような構成に限定されるものではなく、血圧を測定するための情報（脈波情報）が検出可能であればよい。また、電子血圧計１００は、さらに、アラーム音を発するためのブザー（図示せず）を備えていてもよい。【００２６】
本実施の形態におけるメモリ１２の構造例を図３Ａに示す。メモリ１２には、測定結果情報を格納するための測定結果記憶領域１２１が含まれる。【００２７】
図３Ａを参照して、測定結果記憶領域１２１には、測定された血圧データと、血圧測定の際の測定条件を特定するための条件特定データとが対にして格納される。図３Ａでは、血圧値および脈拍数と測定日時（たとえば測定開始または終了の日時）とが対応付けられたレコードＲが、血圧測定毎に格納される。レコードＲには、最高血圧データＳＢＰ、最低血圧データＤＢＰ、脈拍数データＰＬＳ、ならびに測定日時データＤＴが格納される。なお、これらのデータは、測定毎に対応付けされて各領域に格納されればよく、レコードＲを用いた格納形式に限定されるものではない。【００２８】
本発明の実施の形態における電子血圧計１００は、２種類の起動方法を有する。１つは、通常の操作（明示的な起動操作）での起動方法である。通常の操作とは、本実施の形態では、電源スイッチ２１．０の押下（操作）に該当する。電源スイッチ２１．０の表面には、「電源ＯＮ／ＯＦＦ」といった表示等がされていることが好ましい。もう１つは、明示的ではない特定の操作（通常の起動操作とは異なる操作）での起動方法である。特定の操作とは、本実施の形態では、たとえば、電源スイッチ２１．０と設定スイッチ２１．２と測定スイッチ２１．３とを同時に押下（操作）することが該当する。【００２９】
本実施の形態において、通常の操作で起動された場合、電子血圧計１００は、ロックモード（後述）で動作する。これに対し、明示的ではない特定の操作で起動された場合、電子血圧計１００は、アンロックモード（後述）で動作する。このことから、本実施の形態において、特定の操作での起動を「アンロック起動」ともいう。【００３０】
図３Ｂは、本発明の実施の形態の電子血圧計１００におけるＣＰＵ２０の機能を示す機能ブロック図である。ＣＰＵ２０は、操作部２１からの指示信号に基づいて、電子血圧計１００が有する複数の機能のうちいずれかの機能を作動させる制御を行なうための作動制御部２０１を含む。作動制御部２０１は、特定の操作で起動されたか否かを判断するための判断部２０１１と、その判断結果に基づいて、第２の機能群の作動の可否を設定するための設定部２０１２とを有する。設定部２０１２は、具体的には、上述のロックモードとアンロックモードとのうちいずれかのモードを設定する。作動制御部２０１は、ユーザからの指示が第１の機能群に含まれる機能の作動指示である場合、または、ユーザからの指示が第２の機能群に含まれる機能の作動指示であり、かつ、設定部２０１２により作動可能に設定された場合に、該指示に対応する機能を作動させる。【００３１】
ここで、第１の機能群および第２の機能群について、説明する。第１の機能群は、少なくとも、血圧測定部３０による血圧の測定機能を含み、本実施の形態においては、測定機能に加え、測定データ表示機能を有する。このように、第１の機能群は、電子血圧計１００が有する基本的機能群と定義することができる。これに対し、第２の機能群は、電子血圧計１００が有する付随的機能群と定義することができる。第２の機能群は、少なくとも、測定値の消去および／または設定値の変更に関する情報変更機能を含む。この情報変更機能は、具体的には、測定結果記憶領域１２１に記憶された複数の測定データ（測定値と測定条件との対のデータをいう）のうち少なくとも１つを消去する消去機能、および、血圧測定前に測定条件の基準となる値（設定値）を変更する変更機能のうち少なくとも１つを含む。本実施の形態では、情報変更機能に、消去機能および変更機能の両方が含まれるものとする。【００３２】
再び図３Ｂを参照して、ＣＰＵ２０は、上記した、測定機能、測定データ表示機能、消去機能および変更機能それぞれに対応する処理を行なう、測定処理部２０３、測定データ表示部２０４、測定データ消去部２０５、および時計変更部２０６を含む。なお、各部が行なう具体的な処理を、以下に簡単に説明する。なお、これらの処理はそれぞれ、公知の手法により実現されてよい。【００３３】
測定処理部２０３は、ポンプ駆動回路１７および弁駆動回路１９の駆動を制御して、発振回路１５からの信号を圧力信号に変換し圧力を検知する。そして、検知した圧力データについて所定のアルゴリズムを適用して、血圧値すなわち最高血圧・最低血圧を算出するとともに、脈拍数を算出する。このような測定の手順は従来から提供される周知の手順を適用できるから、ここではその詳細説明は略す。また、測定処理部２０３は、タイマ１３からの日時データに基づき、測定の際の日時を取得する。そして、算出した血圧値および脈拍数を表示部４に表示するとともに、算出した血圧値および脈拍数を日時データと対応付けて、レコードＲとして測定結果記憶領域１２１に格納する。【００３４】
測定データ表示部２０４は、測定結果記憶領域１２１に記憶された測定結果情報を読み出して、表示部４に表示する処理を行なう。より具体的には、たとえば、はじめにメモリスイッチ２１．６が押下された場合に、直近の測定データを読み出して表示部４に表示し、さらに、メモリスイッチ２１．６の押下を検知するたびに、１つずつ過去の測定データを読み出して表示する。【００３５】
測定データ消去部２０５は、たとえば、表示部４に測定データを１つずつ表示し、所定の操作（たとえば、メモリスイッチ２１．６と右スイッチ２１．５とを同時に操作）によって、表示中の測定データをレコードＲ単位で消去する。なお、測定データ消去部２０５は、全ての測定データを消去することとしてもよい。【００３６】
時計変更部２０６は、タイマ１３における時刻を設定する処理、および、タイマ１３における時刻設定（設定値）を変更する処理を行なう。【００３７】
上記のような構成とすることで、作動制御部２０１は、ユーザからの指示が基本的機能群に含まれる機能の作動指示である場合には、ロックモードおよびアンロックモードのうちいずれが設定されていても、指示に対応する機能を作動させることができる。これに対し、作動制御部２０１は、ユーザからの指示が付随的機能群に含まれる機能の作動指示であった場合は、設定部２０１２によりアンロックモードが設定されたときにのみ、指示に対応する機能を作動させることができる。【００３８】
各機能ブロックの動作は、メモリ１２中に格納されたソフトウェアを実行することで実現されてもよいし、少なくとも１つについては、ハードウェアで実現されてもよい。【００３９】
なお、本実施の形態において、測定条件の基準となる値（設定値）は、電子血圧計１００における時刻（日時）であるものとするが、これに限定されるものではない。測定条件の基準となる値（設定値）は、日時に代えて／加え、たとえば、電子血圧計１００が連続して血圧測定処理を実行する回数（連続測定回数）、連続して血圧測定処理を実行する場合のインターバル時間、測定開始を要求するためにアラーム音を発生させる時刻（アラーム時刻）などを含んでいてもよい。つまり、変更機能に対応する処理として、さらに、連続測定回数を変更する処理、インターバル時間を変更する処理、および／または、アラーム時刻を変更する処理がＣＰＵ２０によって行なわれてもよい。測定条件が、測定の際の連続測定回数，インターバル時間，アラーム時刻などの項目を含む場合、各設定値がメモリ１２の所定の領域に記憶されてよい。そして、血圧が測定されると、各設定値は、血圧値と対応付けられてメモリ１２の測定結果記憶領域１２１に格納されてよい。あるいは、測定条件のうちいずれかの項目に対応する設定値が変更された場合に、変更された項目の内容（たとえば、項目名および変更後の値）が、メモリ１２中の、測定結果記憶領域１２１とは異なる領域（図示せず）に、設定値が変更された日時とともに格納されてもよい。【００４０】
図４は、本発明の実施の形態における測定関連処理を示すフローチャートである。図４のフローチャートに示す処理は、予めプログラムとしてメモリ１２に格納されており、ＣＰＵ２０がこのプログラムを読み出して実行することにより実現される。「測定関連処理」とは、血圧測定に関わる処理であり、本実施の形態において、測定関連処理は、測定処理部２０３による処理、測定データ表示部２０４による処理、測定データ消去部２０５による処理および時計変更部２０６による処理を含むものとする。【００４１】
なお、図４に示される処理は、たとえば少なくとも電源スイッチ２１．０がユーザにより操作されて、電源部２４を介してＣＰＵ２０に電力が供給された場合に開始される処理であって、電源がＯＮ状態の場合に実行される処理であるものとする。また、メモリ１２には、電源の投入状態を管理する電源管理プログラムがさらに格納されているものとする。当該電源管理プログラムは、電源が投入されると、特定の操作で起動されたか否かを判断し、その判断結果を示すフラグが内部メモリ（図示せず）に記憶されるものと仮定する。【００４２】
図４を参照して、判断部２０１１は、設定スイッチ２１．２と測定スイッチ２１．３と電源スイッチ２１．０とが同時に押下されて起動されたかどうか、すなわち、特定の操作で起動されたか否かを判断する（ステップＳ２）。具体的には、内部メモリに立てられたフラグの状態に基づいて、特定の操作で起動されたか否かが判断される。判断部２０１１により通常の操作での起動であったと判断された場合（ステップＳ２でＮＯ）、ステップＳ４に進む。一方、判断部２０１１により特定の操作での起動であったと判断された場合（ステップＳ２でＹＥＳ）、ステップＳ１０に進む。【００４３】
ステップＳ４において、設定部２０１２は、ロックモードを設定する。つまり、基本的機能群（測定機能および測定データ表示機能）以外の付随的機能群の作動を不可に設定する。【００４４】
次に、作動制御部２０１は、ユーザからの指示を判別する（ステップＳ６）。より具体的には、操作部２１のうちのどのスイッチが操作されたかを判別する。ステップＳ６において、測定スイッチ２１．３が押下されたと判別された場合、測定処理部２０３は、血圧測定処理を実行する（ステップＳ８）。ステップＳ８の処理が終わると、ステップＳ６に戻る。【００４５】
ステップＳ６において、メモリスイッチ２１．６が押下されたと判別された場合、測定データ表示部２０４は、測定結果情報を表示部４に表示する処理を行なう（ステップＳ９）。ステップＳ９の処理が終わると、ステップＳ６に戻る。【００４６】
ステップＳ６において、メニュースイッチ２１．１が押下されたと判別された場合、作動制御部２０１は待機する。【００４７】
このように、ロックモードにおいては、基本的機能群に含まれる機能を作動させるためのスイッチの操作は有効とされるが、付随的機能群に含まれる機能を作動させるためのスイッチ（メニュースイッチ２１．１）の操作は無効とされる。【００４８】
ステップＳ１０において、設定部２０１２は、アンロックモードを設定する。つまり、付随的機能群の作動を可能（全ての操作が可能）に設定する。【００４９】
次に、作動制御部２０１は、ユーザからの指示を判別する（ステップＳ１２）。具体的には、上記ステップＳ６と同様に、操作部２１のうちのどのスイッチが操作されたかを判別する。ステップＳ１２において、測定スイッチ２１．３が押下されたと判別された場合、測定処理部２０３は、血圧測定処理を実行する（ステップＳ１４）。ステップＳ１４の処理が終わると、ステップＳ１２に戻る。【００５０】
ステップＳ１２において、メモリスイッチ２１．６が押下されたと判別された場合、測定データ表示部２０４は、測定結果記情報を表示部４に表示する処理を行なう（ステップＳ１５）。ステップＳ１５の処理が終わると、ステップＳ１２に戻る。【００５１】
ステップＳ１２において、メニュースイッチ２１．１が押下され、「測定データ消去」が選択されたと判別された場合、測定データ消去部２０５は、測定結果情報を消去する処理を行なう（ステップＳ１６）。ステップＳ１６の処理が終わると、ステップＳ１２に戻る。【００５２】
ここで、メニュースイッチ２１．１が押下された場合に表示される画面の一例を図５に示す。図５を参照して、表示部４には、測定データ消去ボタンの項目Ｂ１と時計設定変更ボタンの項目Ｂ２とが表示される。測定データ消去ボタンの項目Ｂ１は、測定データ消去の指示（消去機能を作動させるための指示）を入力するための項目であり、時計設定変更ボタンの項目Ｂ２は、時計変更の指示（変更機能を作動させるための指示）を入力するための項目である。ユーザは、左スイッチ２１．４，右スイッチ２１．５を押下することで、いずれかの項目を選択し、設定スイッチ２１．２を押下することで、選択中の項目に対応する機能の作動を指示することができる。【００５３】
ステップＳ１２において、メニュースイッチ２１．１が押下され、「時計設定変更」が選択されたと判別された場合、時計変更部２０６は、タイマ１３の時刻設定を変更する処理を行なう（ステップＳ１７）。ステップＳ１７の処理が終わると、ステップＳ１２に戻る。【００５４】
このように、アンロックモードでは、全ての機能を作動させるためのスイッチの操作が有効とされる。【００５５】
上述のように、特定の操作で起動した場合にのみ、付随的機能群を作動させることができるため、被験者による測定値や測定条件の改ざんを防ぐことができる。【００５６】
（変形例）
上記実施の形態によると、特定の操作を知らない被験者は、測定値の消去や設定値の変更をすることができなかった。しかしながら、被験者が何らかの方法で特定の操作を知ってしまう可能性がある。このような場合、被験者は、測定値や設定値の改ざんをする恐れがある。そこで、特定の操作での起動の履歴を記憶しておいて、改ざんの可能性の有無を管理者に知らせることとしてもよい。このような電子血圧計の動作について、以下に変形例として説明する。【００５７】
変形例における電子血圧計の外観およびハードウェア構成は、上記実施の形態の電子血圧計１００と同様であるので、ここでも、図１および図２に示した符号を用いる。なお、メモリ１２およびＣＰＵ２０については、その機能（制御）の違いから、変形例においては、それぞれメモリ１２ＡおよびＣＰＵ２０Ａと記す。【００５８】
上記実施の形態との相違点について述べる。
図６Ａは、本実施の形態の変形例におけるメモリ１２Ａの構造例を示す図である。変形例では、メモリ１２Ａは、上述の測定結果記憶領域１２１に加え、特定の操作での起動の履歴情報を記憶するための履歴記憶領域１２２をさらに含む。【００５９】
図６Ａを参照して、履歴記憶領域１２２には、特定の操作で起動されたことを特定するための情報、たとえば、起動日時データＤＴｕが格納される。履歴記憶領域には、たとえば、所定数（たとえば５つ）、起動日時データＤＴｕが記憶可能であり、最古のデータに最新のデータが上書きされることが好ましい。【００６０】
図６Ｂは、本発明の実施の形態の変形例の電子血圧計１００におけるＣＰＵ２０Ａの機能ブロック図である。図６Ｂを参照して、上記実施の形態と比較すると、作動制御部２０１Ａは、判断部２０１１と設定部２０１２とに加え、履歴格納部２０１３をさらに有する。また、ＣＰＵ２０Ａは、作動制御部２０１、測定処理部２０３、測定データ表示部２０４、測定データ消去部２０５および時計変更部２０６に加え、履歴表示部２０７をさらに含む。【００６１】
履歴格納部２０１３は、アンロック起動の際の日時のデータを起動日時データＤＴｕとして履歴記憶領域１２２に格納する。【００６２】
履歴表示部２０７は、履歴記憶領域１２２に記憶された起動日時データＤＴｕを読み出して、表示部４に表示する処理を行なう。【００６３】
なお、変形例において、履歴表示機能は、付随的機能群に含まれるものとする。ただし、当該機能は、情報変更機能とは異なるため、基本的機能群に含まれることとしてもよい。【００６４】
図７は、本発明の実施の形態の変形例における測定関連処理を示すフローチャートである。図７のフローチャートに示す処理もまた、予めプログラムとしてメモリ１２Ａに格納されており、ＣＰＵ２０Ａがこのプログラムを読み出して実行することにより実現される。なお、変形例において、測定関連処理は、さらに、履歴表示部２０７による処理を含むものとする。また、図４のフローチャートと同様の処理については同じ符号を付し、ここでの説明は繰返さない。【００６５】
図７を参照して、変形例では、ステップＳ１０とステップＳ１２との間に、起動日時を記憶する処理（ステップＳ１１）が挿入される。具体的には、ステップＳ１１において、履歴格納部２０１３は、タイマ１３からの計時データに基づいて、履歴記憶領域１２２に、特定の操作で起動された日時のデータを格納する。なお、ステップＳ１０とステップＳ１１との処理は逆であってもよい。【００６６】
ここで、変形例において、ステップＳ１２でメニュースイッチ２１．１が押下された場合に表示される画面の一例を図８に示す。図８を参照して、表示部４には、測定データ消去ボタンの項目Ｂ１および時計設定変更ボタンの項目Ｂ２に加え、アンロック履歴ボタンの項目Ｂ３が表示される。アンロック履歴ボタンの項目Ｂ３は、アンロック起動の履歴の表示の指示（履歴表示機能を作動させるための指示）を入力するための項目である。【００６７】
再び図７を参照して、ステップＳ１２において、メニュースイッチ２１．１が押下され、アンロック履歴ボタンの項目Ｂ３が選択されたと判別された場合、履歴表示部２０７は、アンロック起動の履歴（日時データＤＴｕ）を表示部４に表示する処理を行なう（ステップＳ１８）。ステップＳ１８の処理が終わると、ステップＳ１２に戻る。【００６８】
このように、変形例では、アンロック起動の履歴情報が確認できるため、管理者は、被験者のデータ改ざんの可能性の有無を把握することができる。また、基本的機能群および付随的機能群のいずれにも、履歴情報を消去する機能が含まれないため、被験者がアンロック起動したかどうかを確実に記憶させることができる。【００６９】
なお、ここでは、履歴情報は、アンロック起動の際の日時の情報であるものとして説明するが、これに限定されるものではない。たとえば、履歴情報は、アンロック起動の回数の情報であってもよい。この場合、履歴格納部２０１３は、たとえば、所定期間（たとえば１週間）以内のアンロック起動の回数をカウントし、履歴記憶領域１２２にカウント値を記憶させる。【００７０】
あるいは、履歴情報が、アンロック起動の日時の情報と回数の情報との両方を含んでいてもよい。この場合、履歴記憶領域１２２に、起動日時データとカウント値のデータとの両方が格納されてよい。【００７１】
また、上述のように、本実施の形態およびその変形例では、付随的機能群は、メニュースイッチ２１．１を押下することで選択できた。しかしながら、付随的機能群に含まれる機能（消去機能、変更機能、履歴表示機能）それぞれを割り当てたスイッチが、さらに操作部２１に設けられてもよい。この場合、メニュースイッチ２１．１は操作部２１に設けられなくてもよい。【００７２】
あるいは、共通のスイッチ（たとえばメニュースイッチ２１．１）によって、基本的機能群および付随的機能群のいずれもが選択できてもよい。この場合、測定スイッチ２１．３およびメモリスイッチ２１．６は不要となる。アンロックモードの場合、メニュースイッチ２１．１が押下されると、作動制御部２０１，２０１Ａは、表示部４に、たとえば、基本的機能群に含まれる全ての機能を選択可能とするための複数の項目（第１ボタン）と、付随的機能群の詳細をさらに表示するための項目（第２ボタン）とを表示する。これに対し、ロックモードの場合、メニュースイッチ２１．１が押下されると、作動制御部２０１，２０１Ａは、表示部４に、たとえば、複数の第１ボタンを表示し、第２ボタンをグレー表示する。このように、ロックモードの場合には、付随的機能群に含まれる機能を表示できないようにしてもよい。【００７３】
また、上記実施の形態およびその変形例では、アンロック起動のための特定の操作は、操作部２１に含まれる所定の複数のスイッチ（電源スイッチ２１．０を含む）を同時に押下することに該当していた。しかしながら、特定の操作は、このような形態に限定されるものではない。たとえば、血圧計本体１の底面（表示部４が設けられた面と対向する面）など、外部から隠された位置（ユーザが分かり難い位置）に、アンロック起動専用のスイッチ（以下、「隠しスイッチ」という）（図示せず）をさらに設けてもよい。つまり、隠しスイッチは、付随的機能群を作動可能に設定するための指示を入力するスイッチである。この場合、たとえば、電源スイッチ２１．０と隠しスイッチ（図示せず）とを同時に押下することが、特定の操作に該当してもよいし、隠しスイッチ（図示せず）のみを押下することが、特定の操作に該当してもよい。【００７４】
この発明を詳細に説明し示してきたが、これは例示のためのみであって、限定ととってはならず、発明の範囲は添付の請求の範囲によってのみ限定されることが明らかに理解されるであろう。
【図１】
2007114050.tif 000003
【図２】
2007114050.tif 000004
【図３Ａ】
2007114050.tif 000005
【図３Ｂ】
2007114050.tif 000006
【図４】
2007114050.tif 000007
【図５】
2007114050.tif 000008
【図６Ａ】
2007114050.tif 000009
【図６Ｂ】
2007114050.tif 000010
【図７】
2007114050.tif 000011
【図８】
2007114050.tif 000012
【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
血圧を測定するための血圧測定部（３０）と、
前記血圧測定部により測定された前記血圧のデータの履歴を含む測定結果情報を記憶するための第１の記憶部（１２１）と、
前記測定結果情報を表示するための表示部（４）と、
ユーザが、前記電子血圧計が有する第１の機能群および第２の機能群に含まれる複数の機能のうちのいずれかを作動させるための指示を入力可能な第１の入力部（２１）とを備え、
前記第１の機能群は、前記血圧測定部による測定機能と、前記第１の記憶部に記憶された前記測定結果情報を前記表示部に表示する第１の表示機能とを含み、
前記第２の機能群は、前記血圧のデータの履歴のうち少なくとも１つを消去する情報変更機能を含み、
前記第１の入力部からの指示信号に基づいて、前記複数の機能のうちいずれかを作動させる制御を行なうための作動制御部（２０１）をさらに備え、
前記作動制御部は、
特定の操作で起動されたか否かを判断するための判断部（２０１１）と、
前記判断部による判断結果に基づいて、前記第２の機能群に含まれる機能の作動の可否を設定するための設定部（２０１２）とを含み、
前記作動制御部は、前記指示信号に対応する機能が前記第１の機能群に含まれる機能である場合、または、前記指示信号に対応する機能が前記第２の機能群に含まれる機能であり、かつ、前記設定部により作動可能に設定された場合に、前記対応する機能を作動させる、電子血圧計。
【請求項２】
（削除）
【請求項３】
前記測定結果情報は、各前記血圧のデータと関連付けて、血圧測定の際の測定条件を特定するための条件特定データをさらに含み、
前記情報変更機能は、前記測定条件の基準となる値を変更する変更機能をさらに含む、請求の範囲第１項に記載の電子血圧計。
【請求項４】
前記設定部は、前記判断部により前記特定の操作で起動されたと判断された場合に、前記第２の機能群の作動を可能に設定し、前記判断部により前記特定の操作とは異なる操作で起動されたと判断された場合には、前記第２の機能群の作動を不可に設定する、請求の範囲第３項に記載の電子血圧計。
【請求項５】
時刻を計測するためのタイマ（１３）をさらに備え、
前記条件特定データは、前記血圧測定の際における前記タイマからの計時データを含む、請求の範囲第３項に記載の電子血圧計。
【請求項６】
前記特定の操作での起動の履歴情報を記憶するための第２の記憶部（１２２）をさらに備え、
前記第２の機能群は、前記第２の記憶部に記憶された前記履歴情報を前記表示部に表示する第２の表示機能をさらに含む、請求の範囲第３項に記載の電子血圧計。
【請求項７】
日時を計測するためのタイマ（１３）をさらに備え、
前記作動制御部は、前記判断部により前記特定の操作で起動されたと判断された場合に、前記タイマからの出力に基づいて、起動日時データを前記履歴情報として前記第２の記憶部に格納するためのデータ格納部（２０１３）をさらに含む、請求の範囲第６項に記載の電子血圧計。
【請求項８】
前記作動制御部は、
前記判断部により前記特定の操作で起動されたと判断された場合に、前記特定の操作での起動回数をカウントするためのカウント部（２０１３）と、
カウントされた前記起動回数のデータを、前記履歴情報として前記第２の記憶部に格納するためのデータ格納部（２０１３）とをさらに含む、請求の範囲第６項に記載の電子血圧計。
【請求項９】
前記特定の操作とは、明示的な通常の起動操作とは異なる操作である、請求の範囲第１項に記載の電子血圧計。
【請求項１０】
前記第１の入力部は、ユーザが押下可能な複数のスイッチ（２１．０〜２１．６）を含み、
前記判断部は、ユーザにより前記複数のスイッチのうち２個以上の所定のスイッチが同時に押下された場合に、前記特定の操作で起動されたと判断する、請求の範囲第９項に記載の電子血圧計。
【請求項１１】
外部から隠されて設けられた第２の入力部をさらに備え、
前記判断部は、前記第２の入力部が操作された場合に、前記特定の操作で起動されたと判断する、請求の範囲第９項に記載の電子血圧計。
【手続補正２】
【補正対象書類名】明細書
【補正対象項目名】０００２
【補正方法】変更
【補正の内容】
【０００２】
特許文献２：特開２００２−２７２６８６号公報
特許文献３：特開２００２−２７２６８７号公報
発明の開示
発明が解決しようとする課題
［０００６］
しかしながら、上述のように、ユーザが自由に測定データの消去や設定値の変更をすることができると、被験者の管理者（医師など）にとって、不都合が生じる場合がある。たとえば、管理者が、被験者に対し、毎日血圧を測定するよう指示していたと仮定する。通常であれば、管理者は、測定結果を後日閲覧することで、被験者の血圧の変化などを把握することができる。しかし、測定データを自由に消去できるとすると、被験者は、測定結果が気に入らなければデータを消去する可能性があり、測定データの改ざんにつながる。
［０００７］
また、管理者が、被験者に対し、血圧測定の時間帯を指定していたとしても、被験者は、時刻設定を変更することで、測定時刻を改ざんすることができる。
［０００８］
本発明は、上記のような問題を解決するためになされたものであって、その目的は、被験者による、測定値の消去および／または設定値の変更を不可とすることのできる電子血圧計を提供することである。
課題を解決するための手段
［０００９］
この発明のある局面に従う量子血圧計は、血圧測定部と、第１の記憶部と、表示部と、第１の入力部と、作動制御部とを備える。血圧測定部は、血圧を測定する。第１の記憶部は、血圧測定部により測定された血圧のデータを含む測定結果情報を記憶する。表示部は、測定結果情報を表示する。第１の入力部は、ユーザが、電子血圧計が有する第１の機能群および第２の機能群に含まれる複数の機能のうちのいずれかを作動させるための指示を入力可能である。第１の機能群は、血圧測定部による測定機能と、第１の記憶部に記憶された測定結果情報を表示部に表示する第１の表示機能とを含み、第２の機能群は、血圧のデータの履歴のうち少なくとも１つを消去する情報変更機能を含む。作動制御部は、第１の入力部からの指示信号に基づいて、複数の機能のうちいずれかを作動させる制御を行なう。作動制御部は、特定の操作で起動されたか否かを判断するための判断部と、判断部による判断結果に基づいて、第２の機能群の作動の可否を設定するための設定部とを含む。そして、作動制御部は、指示信号に対応する機能が第１の機能群に含まれ
【手続補正３】
【補正対象書類名】明細書
【補正対象項目名】０００３
【補正方法】変更
【補正の内容】
【０００３】
る機能である場合、または、指示信号に対応する機能が第２の機能群に含まれる機能であり、かつ、設定部により作動可能に設定された場合に、対応する機能を作動させる。
［００１０］
［００１１］
好ましくは、測定結果情報は、各血圧のデータと関連付けて、血圧測定の際の測定条件を特定するための条件特定データをさらに含み、情報変更機能は、測定条件の基準となる値を変更する変更機能をさらに含む。
［００１２］
好ましくは、設定部は、判断部により特定の操作で起動されたと判断された場合に、第２の機能群の作動を可能に設定し、判断部により特定の操作とは異なる操作で起動されたと判断された場合には、第２の機能群の作動を不可に設定する。
［００１３］
好ましくは、電子血圧計は、時刻を計測するためのタイマをさらに備え、条件特定データは、血圧測定の際におけるタイマからの計時データを含む。
［００１４］
好ましくは、特定の操作での起動の履歴情報を記憶するための第２の記憶部をさらに備え、第２の機能群は、第２の記憶部に記憶された履歴情報を表示部に表示する第２の表示機能をさらに含む。
［００１５］
好ましくは、電子血圧計は、日時を計測するためのタイマをさらに備え、作動制御部は、判断部により特定の操作で起動されたと判断された場合に、タイマからの出力に基づいて、起動日時データを履歴情報として第２の記憶部に格納するためのデータ格納部をさらに含む。
［００１６］
あるいは、作動制御部は、判断部により特定の操作で起動されたと判断された場合に、特定の操作での起動回数をカウントするためのカウント部と、カウントされた起動回数のデータを、履歴情報として第２の記憶部に格納するためのデータ格納部とをさらに含むことが好ましい。
［００１７］
好ましくは、特定の操作とは、明示的な通常の起動操作とは異なる操作である。
好ましくは、第１の入力部は、ユーザが押下可能な複数のスイッチを含み、判断部は、ユーザにより複数のスイッチのうち２個以上の所定のスイッチが同時に押下され
【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
血圧を測定するための血圧測定部（３０）と、
前記血圧測定部により測定された前記血圧のデータの履歴を含む測定結果情報を記憶するための第１の記憶部（１２１）と、
前記測定結果情報を表示するための表示部（４）と、
ユーザが、前記電子血圧計が有する第１の機能群および第２の機能群に含まれる複数の機能のうちのいずれかを作動させるための指示を入力可能な第１の入力部（２１）とを備え、
前記第１の機能群は、前記血圧測定部による測定機能と、前記第１の記憶部に記憶された前記測定結果情報を前記表示部に表示する第１の表示機能とを含み、
前記第２の機能群は、前記血圧のデータの履歴のうち少なくとも１つを消去する情報変更機能を含み、
前記第１の入力部からの指示信号に基づいて、前記複数の機能のうちいずれかを作動させる制御を行なうための作動制御部（２０１）をさらに備え、
前記作動制御部は、
特定の操作で起動されたか否かを判断するための判断部（２０１１）と、
前記判断部による判断結果に基づいて、前記第２の機能群に含まれる機能の作動の可否を設定するための設定部（２０１２）とを含み、
前記作動制御部は、前記指示信号に対応する機能が前記第１の機能群に含まれる機能である場合、または、前記指示信号に対応する機能が前記第２の機能群に含まれる機能であり、かつ、前記設定部により作動可能に設定された場合に、前記対応する機能を作動させる、電子血圧計。
【請求項２】
前記測定結果情報は、各前記血圧のデータと関連付けて、血圧測定の際の測定条件を特定するための条件特定データをさらに含み、
前記情報変更機能は、前記測定条件の基準となる値を変更する変更機能をさらに含む、請求項１に記載の電子血圧計。
【請求項３】
前記設定部は、前記判断部により前記特定の操作で起動されたと判断された場合に、前記第２の機能群の作動を可能に設定し、前記判断部により前記特定の操作とは異なる操作で起動されたと判断された場合には、前記第２の機能群の作動を不可に設定する、請求項２に記載の電子血圧計。
【請求項４】
時刻を計測するためのタイマ（１３）をさらに備え、
前記条件特定データは、前記血圧測定の際における前記タイマからの計時データを含む、請求項２に記載の電子血圧計。
【請求項５】
前記特定の操作での起動の履歴情報を記憶するための第２の記憶部（１２２）をさらに備え、
前記第２の機能群は、前記第２の記憶部に記憶された前記履歴情報を前記表示部に表示する第２の表示機能をさらに含む、請求項２に記載の電子血圧計。
【請求項６】
日時を計測するためのタイマ（１３）をさらに備え、
前記作動制御部は、前記判断部により前記特定の操作で起動されたと判断された場合に、前記タイマからの出力に基づいて、起動日時データを前記履歴情報として前記第２の記憶部に格納するためのデータ格納部（２０１３）をさらに含む、請求項５に記載の電子血圧計。
【請求項７】
前記作動制御部は、
前記判断部により前記特定の操作で起動されたと判断された場合に、前記特定の操作での起動回数をカウントするためのカウント部（２０１３）と、
カウントされた前記起動回数のデータを、前記履歴情報として前記第２の記憶部に格納するためのデータ格納部（２０１３）とをさらに含む、請求項５に記載の電子血圧計。
【請求項８】
前記特定の操作とは、明示的な通常の起動操作とは異なる操作である、請求項１に記載の電子血圧計。
【請求項９】
前記第１の入力部は、ユーザが押下可能な複数のスイッチ（２１．０〜２１．６）を含み、
前記判断部は、ユーザにより前記複数のスイッチのうち２個以上の所定のスイッチが同時に押下された場合に、前記特定の操作で起動されたと判断する、請求項８に記載の電子血圧計。
【請求項１０】
外部から隠されて設けられた第２の入力部をさらに備え、
前記判断部は、前記第２の入力部が操作された場合に、前記特定の操作で起動されたと判断する、請求項８に記載の電子血圧計。
【国際調査報告】
2007114050.tif 000013
2007114050.tif 000014
2007114050.tif 000015
2007114050.tif 000016